(57)【特許請求の範囲】
【請求項１】
開口を有し、開口を覆うフロントカバーを備えたケースと、燃焼装置と、電装基板を備えた筐体とを有する熱源機であって、前記ケース内に燃焼装置が収容された熱源機において、
筐体は、大面積の裏板部と、当該裏板部から立ち上がった側壁を有し、
通常時におけるケース内のレイアウトは、ケースの奥側に燃焼装置が配置され、燃焼装置とフロントカバーの間に筐体が配置され、筐体の裏板部が燃焼装置側に向いた姿勢であり、
筐体を、ケース内に収容された状態で、ケースに保持する第１保持手段と、
筐体を、起立した姿勢であって且つ筐体の一部がケースの開口の内側から外側に突出した状態でケースに保持する第２保持手段とを有し、
ケースの内壁と筐体には、各々締結部が設けてあり、前記第１保持手段は前記両締結部を締結する締結手段であり、
筐体とケースの内壁のいずれか一方には係合部材が設けてあり、他方には前記係合部材に対応する受け部材が設けてあり、前記係合部材と受け部材とで第２保持手段が構成され、
筐体側の締結部は、筐体の上辺の一端側にあり、筐体側の係合部材又は受け部材は、筐体の上辺の他端側にあり、第２保持手段が使用された場合には、筐体は裏板部が側面側に向く姿勢となることを特徴とする熱源機。
【請求項２】
ケースの内壁には、第１保持手段の締結部と、第２保持手段の係合部材又は受け部材とを兼ねる固定具が設けてあることを特徴とする請求項１に記載の熱源機。
【請求項３】
筐体の下部が、ケース側に支持されていることを特徴とする請求項１又は２に記載の熱源機。
【発明の詳細な説明】
【技術分野】
【０００１】
本発明は、給湯器や風呂装置あるいは温水暖房装置として使用される熱源機に関するものである。より詳細には、本発明は、燃焼装置と、熱源機を制御する制御機器やブレーカその他の付属品とが同一のケースに収容された熱源機に関するものである。
【背景技術】
【０００２】
特許文献１や特許文献２に開示されているように、一般に給湯器等の外郭筐体たるケース内には、燃焼装置と共に、装置の動作を司る制御機器その他の付属品が収容される。また装置全体の外形形状をできるだけ小さくしたいという要請と、燃焼装置が他の付属品に比べて容積が大きいという現実から、ケース内のレイアウトは、ケースの奥側に燃焼装置が収容され、余った空間に制御機器その他の付属品を配置するレイアウトが採用される場合が多い。そして多くの場合、何らかの付属品が、燃焼装置とフロントカバーとの間に配置されることとなる。
そのため燃焼装置をメンテナンスする際に付属品が邪魔になる。燃焼装置の故障には送風機やバーナ、イグナイタ、ガス電磁弁、ガス流量調整弁等の燃焼系の故障と、湯水混合弁、水流スイッチ、ポンプ、逆止弁、電磁弁等の湯水系の故障があり、これらの場合には部品を点検したり、部品を取り替える作業が必要となる。ところが、送風機やバーナ等のの燃焼系の部品の前に、付属品があると、燃焼系の部品を取り替える等の作業をすることができない。同様に、湯水系のポンプ等の前に付属品があってもポンプ等の取り替え作業をすることができない。
【０００３】
たとえば特許文献１の温水機器ユニット１００では、外郭筐体たるケース１０２内に奥側から順に温水生成機器１０３と電装基板１０５とを収容している。そして通常の使用時の状態においては、図１２（ａ）の様に電装基板１０５は、ケース１０２の開口面側に面した姿勢で配置されている。即ち通常の使用状態においては、温水生成機器１０３の前に、平面的な基板があり、フロントカバーを外しても、そのままでは電装基板１０５が邪魔をして温水生成機器１０３をメンテナンスするのが困難である。
そのため温水機器ユニット１００の内部や温水生成機器１０３をメンテナンスする際には、図１２（ｂ）の様に電装基板１０５の前後の向きを変更し、ケース１０２の側方に張り出して退避させることができるように構成されている。即ちメンテナンスの際には、電装基板１０５はケース１０２の横に並べて配される。そのため特許文献１の構成によると、電装基板１０５に接続された配線のコード１１３を外すことなく、また、配線に負荷を掛けることなく電装基板１０５を温水生成機器１０３の前から退避させることができ、これにより、温水生成機器１０３のメンテナンスを容易に行えるという効果を奏することができる。
【０００４】
また、特許文献２の壁掛け式給湯器１２０は、給湯器本体の開口を閉塞するフロントカバー１１０にリモコン１０７が固定されており、このリモコン１０７と給湯器本体側に固定された制御部１０５とがコード（配線）で接続されている。
特許文献２の発明では、図１３（ｂ）の様にメンテナンスの際にフロントカバー１１０を取り外し、フロントカバー１１０をケース１０２の本体部１１１の下部に引っかけてぶら下げる。
特許文献２の発明を実施すると、フロントカバー１１０はコード１１３を介してケース１０２の本体部１１１と接続されているから、フロントカバー１１０を取り外して給湯器１２０の内部を露出させ、さらにコード１１３を外すことなくフロントカバー１１０を給湯器本体（本体部１１１）に仮保持することができる。
【先行技術文献】
【特許文献】
【０００５】
【特許文献１】特開２００９−１９２１６７号公報
【特許文献２】特許第２５５１３２５号公報
【発明の概要】
【発明が解決しようとする課題】
【０００６】
ところで、昨今は見栄えや、安全性の観点から、平坦な壁から給湯器等が突出して設置されている状態を改善したいという市場の強い要望があり、この要望に応えるために給湯器等の設置壁に収容空間を設け、その収容空間の中に給湯器等を配置するという施工方法が採用されることが多くなった。
ここで一例として、収容空間内に給湯器が配置される場合の構成を図１０を参照しつつ説明する。図１０は、壁に設けられた収容空間内に給湯器等を配置した状態の横断平面図である。
【０００７】
壁２０に設けられた収容空間３０は、上下水道のバルブやトラップ、ガスメータその他と共に給湯器を収容する空間であるが、収容空間３０の大きさには限りがあり、給湯器の周囲に余分な空間が確保されないことが多い。また、収容空間３０内に当該給湯器以外の設備（例えば、配管類）も収容される場合には、収容空間３０は給湯器を余裕をもって収容できる大きさに形成される。しかし、給湯器の周辺にはその他の設備が配設されることになり、やはり給湯器の周囲に余裕空間は存在しない場合が多い。
【０００８】
そのため、特許文献１に開示されているような構造を採用して、電装基板１０５を前後反転してケース１０２の側方に張り出して退避させようとしても、電装基板１０５はケース１０２を設置した収容空間３０の側面３１に干渉されてケース１０２に仮止めすることができず、また、特許文献２に開示されている構造を採用しようとしても、収容空間３０内にフロントカバーをつり下げる空間を確保することができない。よって、給湯器の周囲に余裕空間がない場合には、電源ケーブルや各種の信号ケーブルが接続された状態で、給湯器をメンテナンスすることができない。
【０００９】
そこで本発明は、外郭筐体たるケースの周囲に余裕空間がない場合であっても、燃焼装置のメンテナンス時に電装基板その他の付属品をケースに仮保持することができる熱源機を提供することを目的としている。
【課題を解決するための手段】
【００１０】
上記課題を解決するための発明は、開口を有するケースと、燃焼装置と、付属品とを有する熱源機であって、前記ケース内に燃焼装置が収容され、前記燃焼装置よりもケースの開口側に前記付属品が配置される熱源機において、付属品を、前記付属品全体がケース内に収容された状態で、ケースに保持する第１保持手段と、付属品を、ケースの開口の内側から外側に起立して突出するように、ケースに保持する第２保持手段とを設けたことを特徴とする熱源機である。
また上記課題を解決するための請求項１の発明は、開口を有し、開口を覆うフロントカバーを備えたケースと、燃焼装置と、電装基板を備えた筐体とを有する熱源機であって、前記ケース内に燃焼装置が収容された熱源機において、筐体は、大面積の裏板部と、当該裏板部から立ち上がった側壁を有し、通常時におけるケース内のレイアウトは、ケースの奥側に燃焼装置が配置され、燃焼装置とフロントカバーの間に筐体が配置され、筐体の裏板部が燃焼装置側に向いた姿勢であり、筐体を、ケース内に収容された状態で、ケースに保持する第１保持手段と、筐体を、起立した姿勢であって且つ筐体の一部がケースの開口の内側から外側に突出した状態でケースに保持する第２保持手段とを有し、ケースの内壁と筐体には、各々締結部が設けてあり、前記第１保持手段は前記両締結部を締結する締結手段であり、筐体とケースの内壁のいずれか一方には係合部材が設けてあり、他方には前記係合部材に対応する受け部材が設けてあり、前記係合部材と受け部材とで第２保持手段が構成され、筐体側の締結部は、筐体の上辺の一端側にあり、筐体側の係合部材又は受け部材は、筐体の上辺の他端側にあり、第２保持手段が使用された場合には、筐体は裏板部が側面側に向く姿勢となることを特徴とする熱源機である。
【００１１】
ここで「燃焼装置」とは、少なくとも送風機、バーナ、熱交換器、排気筒等の燃焼ガスや空気の流路を構成する部材やこれに取り付けられるセンサー類等を含む。また燃焼装置には少なくとも湯水の経路に設けられる電磁弁、湯水混合弁、逆止弁その他の弁やポンプ並びに配管類に取り付けられるセンサー類を含む。
一方「付属品」とは、前記した電装基板の他、漏電安全装置や操作リモコン等の電装品を含む。またさらに潜熱回収型燃焼装置に内蔵されるドレンタンクやドレンの中和タンクについても「付属品」に含まれる。
【００１２】
請求項１の発明では、第１保持手段を設けたことにより、電装基板等の付属品は、ケース内に収容された状態でケースに保持可能である。すなわち、このときの付属品は、ケースから突出せず、ケース内に収まっている。よって、燃焼装置と付属品は、共にケース内に収納されている。
また、請求項１の熱源機では、第２保持手段を設けたことにより、付属品は、ケースの開口から外側に起立して突出する状態でケースに保持可能である。すなわち、このときの付属品は、ケースの開口の内側から外側に起立して突出している。その結果、付属品はケースの開口を正面視して開口の範囲内（投影面内）に収まっているが、付属品の燃焼装置に近接する部位の面積が大幅に減少する。換言すると、ケースの開口側に配置された付属品が燃焼装置から退避して、ケースの開口から燃焼装置に至るまで、障害物がない状態となる。このとき、作業者はケースの外側からケース内に手を入れて、燃焼装置に容易に触れることができ、燃焼装置のメンテナンスを容易に実施できる。また、付属品は、燃焼装置に対して向きが変更されるだけで燃焼装置の近くに配置されているので、付属品と燃焼装置とをつなぐ各種のケーブル類は接続した状態を維持できる。
よって、請求項１の発明を実施すると、燃焼装置のメンテナンス時に、付属品に接続されている電源ケーブルや各種の信号ケーブルを取り外すことなく、付属品をケースに保持することができ、その結果、作業者は燃焼装置のメンテナンスを両手で効率良く実施することができる。
【００１３】
請求項１の発明では、ケースの内壁と付属品には、各々締結部が設けてあり、前記第１保持手段は前記両締結部を締結する締結手段である。
【００１４】
請求項１の熱源機の発明では、第１保持手段は、ケースの内壁と付属品に各々設けた締結部を締結する締結手段とした。よって、締結手段からなる第１保持手段によって、付属品はケース内に収容された状態で確実に固定され、動かない。
その結果、付属品が外力の作用で動きにくく、接続された電源ケーブルや各種の信号ケーブルが、不用意に外れることがない。また、付属品がケース内に収容された状態で確実に固定されるので、安全である。
【００１５】
請求項１の発明では、付属品とケースの内壁のいずれか一方には係合部材が設けてあり、他方には前記係合部材に対応する受け部材が設けてあり、前記係合部材と受け部材とで第２保持手段が構成されていることを特徴とする。
【００１６】
請求項１の熱源機の発明では、第２保持手段が係合部材と受け部材とで構成されているので、付属品は、第２保持手段でケース側に容易に保持可能である。すなわち、係合部材を受け部材に係合させるだけで、付属品をケースの開口から起立して突出する姿勢でケースに保持することができる。よって、ケースの奥側に配置された燃焼装置の前から付属品を容易に退避させ、さらに付属品をケースに保持させることができる。その結果、作業者が片手で付属品を保持しなくても済み、両手で燃焼装置のメンテナンスを実施することができ、作業効率が向上する。
【００１７】
燃焼装置をメンテナンスするときに、付属品を開口から起立して突出するようにケース側に保持させたとしても、メンテナンスが終了すると、付属品は元通りに開口内（ケース内）に収容された状態に戻される。よって、付属品を開口から起立して突出した状態でケースに強固に固定したり、強固に固定された付属品を取り外す構成とすると付け外しに時間が掛かり、メンテナンスの遅延を招いてしまう。また、燃焼装置をメンテナンスする一時的な間であれば、付属品はケースに仮保持される程度で充分である。そこで請求項３の発明によれば、係合部材と受け部材とで第２保持手段が構成されているので、燃焼装置のメンテナンス時には、付属品をケースに簡単に保持させることができる。さらにメンテナンスが終了すると、ケースから付属品を簡単に取り外して、第１保持手段で付属品をケース内に固定できる。
【００１８】
請求項２の発明は、ケースの内壁には、第１保持手段の締結部と、第２保持手段の係合部材又は受け部材とを兼ねる固定具が設けてあることを特徴とする請求項１に記載の熱源機である。
【００１９】
請求項２の熱源機の発明では、ケースの内壁に、第１保持手段の締結部と、第２保持手段の係合部材又は受け部材とを兼ねる固定具を設けたので、ケースの内壁が簡素化される。よって、固定具は、ケース内に燃焼装置を収容したり、取り出す際の障害になりにくい。
【００２０】
請求項１の発明では、付属品側の第１保持手段の締結部と、第２保持手段の受け部材又は係合部材が、異なる部位に形成されている。
【００２１】
請求項１の熱源機の発明では、付属品側の第１保持手段の締結部と、第２保持手段の受け部材又は係合部材が、異なる部位に形成されている。よって、付属品をケースに収容する状態で保持する際の、付属品側に設ける締結部の位置及び形状の選択の幅が拡がる。同様に、付属品をケースの開口から起立して突出する姿勢で保持する際の、付属品側に設ける受け部材又は係合部材の位置及び形状の選択の幅が拡がる。その結果、より使用し易い形態で、付属品をケースに保持するための第１保持手段と第２保持手段とを構成することができるようになる。
【００２２】
請求項３の発明は、筐体の下部が、ケース側に支持されていることを特徴とする請求項１又は２に記載の熱源機である。
【００２３】
請求項３の熱源機の発明では、付属品の下部が、ケース側に支持されているので、付属品の重量がケース側で支持される。すなわち、付属品がケース内に収容された状態では、付属品は第１保持手段によって保持されると共に、下部がケース側に支持されるので、付属品の姿勢が安定する。同様に、付属品がケースの開口から起立して突出する姿勢で保持された状態でも、付属品は第２保持手段によって保持されると共に、下部がケース側に支持されるので、付属品の姿勢が安定する。
その結果、熱源機の通常使用時においては、付属品はケースに収容された状態で安定してケースに保持され、燃焼装置のメンテナンス時においては、付属品はケースの開口から起立して突出する状態で安定してケースに保持される。
【発明の効果】
【００２４】
本発明は、付属品を、付属品全体がケース内に収容された状態で、ケースに保持する第１保持手段と、付属品を、ケースの開口から外側に起立して突出するように、ケースに保持する第２保持手段とを設けたことにより、燃焼装置をメンテナンスする際に、付属品に接続されたケーブル類や配管等を取り外すことなく、容易に付属品の位置や向きを変更し、ケースに保持させることができる。よって、作業者が付属品を支える必要がないので、作業者は両手で燃焼装置のメンテナンスを速やかに実施することができ、作業効率が向上する。また、ケースに電装基板等の付属品を保持するので、ケーブル類の端子やケーブルそのもの等に無理な力が掛からず、断線や端子外れ等が生じない。
【図面の簡単な説明】
【００２５】
【図１】ケースに燃焼装置が収容されており、電装基板（付属品）の筐体が退避した状態でケースに保持されている状態の斜視図である。
【図２】ケースに燃焼装置が収容されており、電装基板の筐体がケース内に収容されている状態の斜視図である。
【図３】ケースに燃焼装置が収容された状態の斜視図である。
【図４】電装基板の筐体の斜視図である。
【図５】ケースの内壁に設置される固定具の斜視図である。
【図６】電装基板の筐体の締結部と、ケースの固定具（締結部）とが締結可能な状態で位置合わせされた状態の斜視図である。
【図７】電装基板の筐体の係合部をケースの固定具（受け部材）に係合させた状態の部分拡大斜視図である。
【図８】電装基板の筐体の係合部をケースの固定具（受け部材）に係合させた状態の要部斜視図である。
【図９】電装基板の筐体をケースの固定具（受け部材）に係合させる途中の状態の斜視図である。
【図１０】建物の壁に設けられた収容空間内に装置を配置した状態の横断平面図であり、（ａ）は、給湯器を収容するケース内に電装基板全体を収容した状態を示しており、（ｂ）は、電装基板の筐体がケースの開口から起立して突出している状態を示している。
【図１１】建物の壁に設けた収容空間に、給湯器と電装基板を備えたケースを収容した状態の斜視図である。
【図１２】特許文献１に開示された発明の概要を説明する説明図であり、（ａ）は温水機器ユニットのフロントカバーを外した状態の斜視図であり、（ｂ）は温水機器ユニットをメンテナンスする際の様子を示す温水機器ユニットの斜視図である。
【図１３】特許文献２に開示された発明の概要を説明する説明図であり、（ａ）は壁掛け式給湯器の斜視図であり、（ｂ）は壁掛け式給湯器をメンテナンスする際の様子を示す壁掛け式給湯器の斜視図である。
【発明を実施するための形態】
【００２６】
以下、図面を参照しながら本発明の実施例を説明する。本実施例は、本発明を熱源機５０（給湯器）に採用した例を示すものであり、燃焼装置２と電装基板を内蔵した筐体３とがケース１に内蔵されたものである。燃焼装置２は、公知の通り、送風機から排気路に至る一連の燃焼ガス流路を有し、当該燃焼ガス流路内に、バーナと熱交換器が内蔵されている（いずれも図示せず）。また燃焼装置２には、循環ポンプ、湯水混合弁、電磁弁等の湯水の流れを制御する部品が含まれている。燃焼装置２の構造は、公知の給湯器と同一であるから、詳細な説明を省略する。
まず、熱源機５０として、燃焼装置２と電装基板を内蔵する筐体３が収容されたケース１が配置される環境を説明し、次に、ケース１内の個々の構成について説明する。
【００２７】
燃焼装置２と筐体３とを収容したケース１は、マンションやビル等の建物の壁２０に設けられた収容空間３０内（図１０，図１１）に配置される。図１１に示すように、ケース１は、収容空間３０の、破線で示す奥側の壁面３０ａに、ケース１と一体のフランジ状の取付具１９をねじ止めすることにより固定される。その結果、ケース１は、収容空間３０内に収容され固定される。図示していないが、この収容空間３０には、燃焼装置２へ水を供給する配管，燃焼装置２で生成された湯水を通す配管，電源ケーブル，各種信号ケーブル等が、いずれかの壁面を貫通して適宜配設されている。また、図示していないが、収容空間３０には扉が設けられており、普段はこの扉が閉じられ、排気部だけが扉に設けられた開口から外部空間に対して突出（露出）している。すなわち、収容空間３０の扉を開けると、フロントカバー１８（図１０（ａ））を装着したケース１が現れる。
【００２８】
次に、ケース１内の構成について説明する。
ケース１内には燃焼装置２と電装基板を備えた筐体３とが内蔵固定されている。図示していないが、燃焼装置２には、前記した通り、送風機から排気路に至る一連の燃焼ガス流路を有し、当該燃焼ガス流路内に、バーナと熱交換器が内蔵されている。
一方、電装基板の筐体３には燃焼装置２の出湯のＯＮ・ＯＦＦや、湯温等を制御したり、漏電を監視する制御機器が搭載されている。また、燃焼装置２と筐体３内の電装基板（図示せず）とは、信号ケーブルで接続されている。さらに、筐体３には電源ケーブルが接続されている。ケース１内には、これらのケーブル類も収容され、燃焼装置２の通常使用時には、ケース１の開口４は、フロントカバー１８（図１０（ａ））で閉じられている。
【００２９】
ケース１内のレイアウトに注目すると、図１０（ａ）に示すように、ケース１の奥側に燃焼装置２が配置されており、開口４側（すなわち、手前側）には電装基板の筐体３が配置される。ケース１に燃焼装置２を収容し固定すると、燃焼装置２とフロントカバー１８（開口４）の間には筐体３が配置できる程度の空間が形成されるように、ケース１の奥行き寸法が設定されている。
【００３０】
図３に示すように、ケース１の開口４の近傍の一方の内側の側面１ａには、固定具５が固定（スポット溶接）されている。図５に示すように、固定具５は、上方に延びるフランジ部１３と下方に延びるフランジ部１４とを有している。フランジ部１３，１４には、直交する直交部１５，１６が連続している。直交部１５，１６同士は平行であり、両者の先端側（フランジ部１３，１４と反対側）は当接部１１で接続されている。すなわち当接部１１は、フランジ部１３，１４及び直交部１５，１６と直交する平板部であるが、当接部１１とフランジ部１３，１４とは接続されていない。また、当接部１１にはねじ孔５ａが設けられている。ねじ孔５ａには、後述するボルト２１が螺合する。そして、当接部１１とフランジ部１４の間の直交部１６の上面は、後述する筐体３側の張出部１７と面接触して筐体３を受ける受け部として機能する。この固定具５のケース１の側面１ａにおける固定高さは、筐体３の高さに対応している。
【００３１】
さらに、ケース１の開口４の近傍の底面１ｂには、固定穴６ａ，６ｂ，６ｃ（図３）が設けてある。固定穴６ａ，６ｂ，６ｃには、後述する電装基板の筐体３の脚部９，１０が係合する。そのため、固定穴６ａ，６ｂ，６ｃの位置は、筐体３の脚部９，１０の位置に対応している。
【００３２】
一方、筐体３は、燃焼装置２を制御する制御機器（図示せず）を備えた基板を覆うものである。各図において電装基板は、筐体３として描写している。
電装基板を覆う筐体３は、略長方形であって深さの浅い箱であり、略長方形で大面積の裏板部４０と、当該裏板部４０の３辺から垂直方向に立ち上がった側壁を有している。すなわち筐体は、裏板部４０と、上面壁４１と、右側面壁４２と、左側面壁４３を有している。
またこれらで囲まれた空間内には、上面壁４１と平行に上段側補強壁４５と下段側補強壁４６とが設けられている。
【００３３】
図４に示すように、筐体３の上面壁４１の一端には、取付フランジ７（締結部）が設けてある。取付フランジ７は上面壁４１の前端側辺の図面右端にあり、上面壁４１の前端側辺から垂直方向に立ち上がっている。取付フランジ７の平面は、裏板部４０と平行であり、筐体３の正面側の仮想平面と同一の平面を構成している。取付フランジ７には、孔７ａ（長孔）が設けてある。また、取付フランジ７は、リブ７ｂで補強されている。リブ７ｂは、壁状であって上面壁４１から立設し、取付フランジ７の中央寄りの辺から垂直方向後方に延びている。
【００３４】
また、筐体３の上面壁４１の他端（取付フランジ７を設けた端部とは反対側の端部）には、筐体３の上面壁４１と平行な板状の張出部１７が設けてある。張出部１７は平面視が正方形に近い四角形をしている。
張出部１７は二箇所で筐体の本体部分と接続されている。すなわち張出部１７の一端（取付フランジ７設置側とは反対側の端）の縁辺は、その全域において、壁部２４を介して筐体の上面壁４１の角と接続されている。
また張出部１７の他方の辺は、一点において筐体３の本体部分（上面壁４１）と接続されている。すなわち壁部２４とは反対側（取付フランジ７設置側）の縁の前端が、支柱２５で筐体の上面壁４１と接続されている。言い換えると張出部１７は、壁部２４と支柱２５とで筐体の上面壁４１に支持されている。その結果、張出部１７と筐体３の上面壁４１との間には空間が形成されている。
【００３５】
この張出部１７の支柱２５を設けた側の縁であって、支柱２５とは反対側の端部には係合爪８（係合部）が設けてある。すなわち、図４に示すように、係合爪８は、取付フランジ７設置側に突出するように設けられており、下方に湾曲又は屈曲している。また、張出部１７の支柱２５と係合爪８の間は、当接部１２（図４）として機能する面がある。当接部１２は直線状であり、平板の縁で形成されている。
【００３６】
さらに、筐体３の下部には、脚部９，１０が設けられている。脚部１０は張出部１７の直下の片隅（筐体３の厚み方向の一方側）に設けられており、脚部９は、筐体３の幅方向の中央よりフランジ７側に偏った位置であって、筐体３の厚み方向に脚部１０とは反対側（他方側）に配置されている。すなわち、リブ４７が下段側補強壁４６の下面と裏板部４０に同時に固着されており、脚部９は、このリブ４７の裏板部４０とは反対側の下端部に配置されている。ここで、筐体３の厚み方向とは、張出部１７の係合爪８から支柱２５に至る方向であり、筐体３の幅方向とは、張出部１７から取付フランジ７に至る方向である。
【００３７】
以上、説明したケース１に対して筐体３は、２通りの固定の仕方が可能である。次に、筐体３をケース１に固定する方法を説明する。まず、筐体３全体をケース１内に収容できるように固定する方法を説明し、その後、筐体３をケース１の開口４から起立して突出するようにケース１に取り付ける際の取付方法について説明する。
【００３８】
図２に示すように、筐体３をケース１内に収容するように固定する場合には、筐体３の取付フランジ７（締結部）を使用する。まず、ケース１の固定穴６ａ，６ｂに筐体３の脚部９，１０を係合させ、ケース１内における筐体３の下部の位置を固定する。ケース１の固定穴６ａに係合する脚部１０は、筐体３の厚み方向の裏板部４０側に配置されており、固定穴６ｂに係合する脚部９は、筐体３の厚み方向の裏板部４０とは反対側に配置されているので、筐体３は傾倒しにくい。
【００３９】
そして、筐体３の上部は、図６に示すように取付フランジ７をケース１側に固定された固定具５（締結部）に締結することにより固定する。すなわち、取付フランジ７の孔７ａは、ケース１の側面１ａに固定される固定具５の孔５ａと位置合わせされ、ボルト２１（締結手段）で結合され、取付フランジ７（筐体３）が固定具５（ケース１）に確実に締結される。ここで、ケース１側の固定具５と、筐体３側の取付フランジ７と、ボルト２１とで第１保持手段が構成されている。
【００４０】
次に、図１に示すように、筐体３をケース１の開口４から起立して突出するように配置する場合（すなわち、開口４に交差又は直交するように配置する場合）について説明する。この場合には、筐体３の張出部１７を使用する。
【００４１】
図２に示すように、全体がケース１内に配置された状態の筐体３をケース１から取り外す。すなわち、取付フランジ７と固定具５とを締結するボルト２１を外し（ただし、図示しない配線類は接続した状態を保つ）、図９に示すようにケース１の固定穴６ｃに筐体３の脚部１０を係合させ、筐体３の下部の位置を固定する。
【００４２】
その際、張出部１７が固定具５と衝突しないように、筐体３の上部側を側面１ａから離した状態（すなわち、筐体３が裏板部４０を上側に若干傾倒した状態）で、さらに筐体３の張出部１７が固定具５よりもケース１の奥側に移動させ（すなわち、脚部１０を支点に筐体３の取付フランジ７側が張出部１７側よりも若干上になるように回動させ）、その後に筐体３の上部側を側面１ａ側（矢印Ｂで示す方向）に接近させる。図９は、この状態を描写している。
【００４３】
そして、脚部１０を支点に、筐体３を矢印Ａで示す方向（開口４側）に移動（回動）させ、図７及び図８に示すように、係合爪８を、固定具５のフランジ部１３，１４と当接部１１の間の直交部１６（受け部）の縁１６ａと係合させる。
【００４４】
筐体３の係合爪８を、固定具５の直交部１６の縁１６ａに係合させるとき、張出部１７の下面を固定具５の直交部１６の上面に当接（面接触）させるが、その際には、係合爪８を若干上方から下方に移動させながら（すなわち、傾けた筐体３を、脚部１０を支点にして回動させながら）直交部１６の縁１６ａに係合させる。さらに、張出部１７の縁である当接部１２を、固定具５の当接部１１（孔５ａを設けた面）に当接させる。
【００４５】
その結果、係合爪８が、下方（直交部１６側）に湾曲又は屈曲しているので、係合爪８が縁１６ａに引っ掛かり、筐体３の水平方向（ケース１の開口４側から奥側）への移動が規制される。また、張出部１７の縁である当接部１２が、固定具５の当接部１１に当接しているので、筐体３の開口４側への移動も規制される。
【００４６】
さらに、筐体３がケース１の開口４の中央方向に移動しようとしても、係合爪８の縁８ａ（図４，図７）が、固定具５の当接部１１の縁１１ａに当接するので、筐体３の、ケース１の開口４の中央方向への移動も規制される。また、係合爪８の縁８ａが、当接部１１に当接することによって、筐体３が開口４の中央側へ傾倒することが防止される。ここで、筐体３の張出部１７とケース１の固定具５とで第２保持手段が構成されている。さらに、筐体３の裏板部４０が、固定具５のフランジ部１３，１４，或いはケース１の側面１ａに当接することよって、筐体３が傾倒するのが防止される。
【００４７】
その結果、ケース１が建物の壁２０に設けられた収容空間３０内に配置されている場合であっても、燃焼装置２をメンテナンスするときに、図１，図１０（ｂ）に示すように筐体３をケース１の開口４から起立して突出する姿勢でケース１に保持させると、筐体３が壁２０（側面３１）に干渉されることなく、燃焼装置２（給湯器）の前から筐体３を退避させることができる。すなわち、収容空間３０を正面視した際に、筐体３は、ケース１から逸脱することがないので、ケース１を収容空間３０内に配置できる限りは、筐体３が壁２０に干渉されることなくケース１に保持することができる。よって、作業者は、筐体３を片手で支える必要がなく、両手で燃焼装置２のメンテナンスを行うことができ、作業能率が良い。
【００４８】
また、本発明では、燃焼装置２の近くに電装基板（付属品）の筐体３を保持できるので、燃焼装置２のメンテナンス時に、わざわざ筐体３内の電装基板の配線を外す必要がなく、速やかにメンテナンスを実施できる。さらに、信号ケーブルを接続した状態で、ケーブル自身や接続端子に無理な負荷を掛けることなく筐体３をケース１に保持できるので、ケーブルや接続端子を破損させる恐れがない。仮に、ケーブル類を外すと、メンテナンス終了時には元通りに接続する必要があり、接続し忘れる恐れがあるが、本発明では、ケーブル類を外さなくて済むので、このような恐れもない。
【００４９】
上述の実施の形態では、ケース１の底面１ｂに筐体３の脚部９，１０を支持させる場合を示したが、本発明は、脚部９，１０を採用しなくても実施可能である。例えば、固定具５と取付フランジ７のような締結手段の組み合わせを筐体３の下部にも作り、筐体３の上部と下部とをケース１の側面１ａに支持（すなわち、片持ち支持）させることもできる。その際には、筐体３のケース１への取付高さは任意に設定可能である。
【００５０】
また、本発明に関連する実施形態として筐体３の端部（例えば、取付フランジ７が設けられている側の端部）に、上下に延びる軸を設け、ケース１の側面１ａ側には、この軸を受ける例えば円筒状の軸受を設けてもよい。その結果、筐体３は、この軸を中心に回動可能となる。また、上述の実施の形態のように、筐体３をケース１から取り外し、また、装着するという手間も掛からない。すなわち、ケース１側の軸受で支持された軸を中心に筐体３が回動可能であるので、普段は筐体３を開口４より内側に回動させておき、燃焼装置２をメンテナンスする際に、筐体３を９０度回転させるだけで燃焼装置２の前面から退避させることができる。よって、この場合には、第１保持手段と第２保持手段とを兼用することができる。
【００５１】
また、実施例では、ケース１の一方の側面（側面１ａ）に固定具５を固定する例を示したが、側面１ａと対向する側面に固定具５を設け、この固定具５に、筐体３の取付フランジ７と係合爪８とを左右勝手に対応させてもよい。
【００５２】
ケース１に収容される燃焼装置２は、給湯用途以外に、床暖房等の暖房用途で使用される湯水の供給源としても利用される。
【００５３】
また取付フランジ７と固定具５（締結部）の形状は、両者が締結可能であれば、任意の形状を採用することができる。例えば、フランジ７側に孔７ａの代わりに突起を設け、固定具５には孔を設ける。そして、突起を孔に填め込むことにより、ボルト２１を用いることなく筐体３をケース１に保持させることができる。固定具５側には、突起を填め込む孔の代わりに、突起を係合可能な溝を設けてもよい。
【符号の説明】
【００５４】
１    ケース
１ａ  側面（ケースの内壁）
２    燃焼装置
３    電装基板（付属品）の筐体
４    ケースの開口
５    固定具（締結部、係合部）
５ａ  孔
７    取付フランジ（締結部）
８    係合爪（係合部）
１６  直交部（受け部）
１８  フロントカバー
２１  ボルト（締結手段）
４０  裏板部
５０  熱源機
【図１】
0005582335.tif 000002
【図２】
0005582335.tif 000003
【図３】
0005582335.tif 000004
【図４】
0005582335.tif 000005
【図５】
0005582335.tif 000006
【図６】
0005582335.tif 000007
【図７】
0005582335.tif 000008
【図８】
0005582335.tif 000009
【図９】
0005582335.tif 000010
【図１０】
0005582335.tif 000011
【図１１】
0005582335.tif 000012
【図１２】
0005582335.tif 000013
【図１３】
0005582335.tif 000014